(57)【要約】【課題】入退室時にカード認証が得られた際に、任意の個人用メッセージの伝達が可能な入退室制御システムを提供する。【解決手段】各部屋への入退室を管理する入退室制御装置１０を、任意の個人用メッセージを設定管理する管理用ＰＣ５０にＬＡＮ６０を介して接続し、管理用ＰＣ５０から個人用メッセージを転送して認証用データ記憶部１３の各認証用データと関連付けて個人用メッセージ記憶部１６にあらかじめ登録し、入退室者が入退室した際に、カードリーダ部１１により当該入退室者所有のカードを読み取り、カード認証制御部１２で認証用データ記憶部１３の認証用データを参照して認証が得られた際に、個人用メッセージ記憶部１６を検索し、認証された認証用データに関連付けられた個人用メッセージが登録されている場合には、該個人用メッセージをまたはそのメッセージ件数を、テキスト音声変換部１７にて音声情報に変換してスピーカ１８より出力する。【選択図】        図１
2008146451.tif 000002
【特許請求の範囲】
【請求項１】
各部屋に対応して設置されて、各部屋への入退室を管理する入退室制御装置と、入退室者向けのテキスト形式のメッセージを個人用メッセージとして作成・編集して管理する管理用ＰＣ（Ｐｅｒｓｏｎａｌ  Ｃｏｍｐｕｔｅｒ）とを、ネットワークを介して接続して構成される入退室制御システムにおいて、前記入退室制御装置は、入退室者が所有するカードを読み取るカードリーダ部と、該カードリーダ部により読み取ったカードの記録内容をあらかじめ登録されている認証用データに基づいて認証を行うカード認証制御部と、前記管理用ＰＣに設定されたテキスト形式の前記個人用メッセージを前記ネットワークを介して受信し、前記認証用データと関連付けして登録する個人用メッセージ記憶部と、テキスト形式の前記個人用メッセージを音声情報に変換するテキスト音声変換部と、変換された音声情報を出力するスピーカとを少なくとも備え、入退室した入退室者のカードが前記カード認証制御部により認証が得られた際に、前記個人用メッセージ記憶部を検索して、認証された前記認証用データに関連付けられた個人用メッセージが登録されている場合には、該個人用メッセージを前記テキスト音声変換部にて音声情報に変換して前記スピーカより出力することを特徴とする入退室制御システム。
【請求項２】
前記カード認証制御部により認証された前記認証用データに関連付けられた個人用メッセージのメッセージ件数が、あらかじめ定めた件数閾値を超えて多かった場合、あるいは、前記個人用メッセージのデータサイズが、あらかじめ定めたデータサイズ閾値を超えて大きかった場合、前記個人用メッセージのメッセージ件数を前記テキスト音声変換部にて音声情報に変換して前記スピーカより出力することを特徴とする請求項１に記載の入退室制御システム。
【請求項３】
前記メッセージ件数を前記スピーカより出力した以降において、前記カード認証制御部により認証されたカードと同一のカードが再度前記カードリーダ部にて読み取られる都度、１件ずつ、あるいは、同一のカードが再度前記カードリーダ部にて読み取られてからさらに次に前記カードリーダ部にて読み取られるまで、連続的に、前記認証用データに関連付けられた個人用メッセージを、前記テキスト音声変換部にて音声情報に変換して前記スピーカより出力することを特徴とする請求項２に記載の入退室制御システム。
【請求項４】
前記入退室制御装置に、前記個人用メッセージの再生を指示するための再生ボタンをさらに備え、前記メッセージ件数を前記スピーカより出力した以降において、前記入退室者によって前記再生ボタンの操作がなされた際に、１件ずつ、あるいは、前記入退室者によって前記再生ボタンの操作がなされてから前記再生ボタンの再度の操作がなされるまで、連続的に、前記認証用データに関連付けられた個人用メッセージを、前記テキスト音声変換部にて音声情報に変換して前記スピーカより出力することを特徴とする請求項２に記載の入退室制御システム。
【請求項５】
前記個人用メッセージを、前記入退室制御装置の前記個人用メッセージ記憶部にあらかじめ登録する代わりに、前記管理用ＰＣに、前記認証用データに関連付けしてあらかじめ登録しておき、入退室した入退室者のカードが前記入退室制御装置の前記カード認証制御部により認証が得られた際に、前記入退室制御装置から、前記ネットワークを介して、前記管理用ＰＣに対して認証が得られた前記認証用データに関連付けられた個人用メッセージが、登録されているか否かを問い合わせ、登録されていた場合、当該認証用データに関連付けられた個人用メッセージを前記管理用ＰＣから前記入退室制御装置へ転送させて、前記テキスト音声変換部にて音声情報に変換して前記スピーカより出力することを特徴とする請求項１ないし４のいずれかに記載の入退室制御システム。
【請求項６】
前記入退室制御装置の前記個人用メッセージ記憶部に、前記管理用ＰＣに前記認証用データに関連付けられた個人用メッセージが登録されていることを示す情報を、前記認証用データに関連付けてあらかじめ登録しておき、入退室した入退室者のカードが前記入退室制御装置の前記カード認証制御部により認証が得られた際に、前記個人用メッセージ記憶部を参照して、前記管理用ＰＣに、認証が得られた前記認証用データに関連付けられた個人用メッセージが登録されているか否かを確認し、登録されていることが確認された場合、前記管理用ＰＣに対して、認証が得られた前記認証用データに関連付けられた個人用メッセージの転送要求を送信することを特徴とする請求項５に記載の入退室制御システム。
【請求項７】
前記管理用ＰＣは、当該管理用ＰＣに備えられた入力装置からテキスト形式で入力された任意のメッセージ、あるいは、外部の情報通信装置から受信したテキスト形式の受信メール、のいずれかに基づいて、入退室者向けの前記個人用メッセージとして編集して設定登録することを特徴とする請求項１ないし６のいずれかに記載の入退室制御システム。
【請求項８】
各部屋に対応して設置されて、各部屋への入退室を管理する入退室制御装置において、入退室者が所有するカードを読み取るカードリーダ部と、該カードリーダ部により読み取ったカードの記録内容をあらかじめ登録されている認証用データに基づいて認証を行うカード認証制御部と、入退室者向けのテキスト形式のメッセージを個人用メッセージとして作成・編集して管理する管理用ＰＣから、前記個人用メッセージを受信して、前記認証用データと関連付けして登録する個人用メッセージ記憶部と、テキスト形式の前記個人用メッセージを音声情報に変換するテキスト音声変換部と、変換された音声情報を出力するスピーカとを少なくとも備え、入退室した入退室者のカードが前記カード認証制御部により認証が得られた際に、前記個人用メッセージ記憶部を検索して、認証された前記認証用データに関連付けられた個人用メッセージが登録されている場合には、該個人用メッセージを前記テキスト音声変換部にて音声情報に変換して前記スピーカより出力することを特徴とする入退室制御装置。
【請求項９】
前記カード認証制御部により認証された前記認証用データに関連付けられた個人用メッセージのメッセージ件数が、あらかじめ定めた件数閾値を超えて多かった場合、あるいは、前記個人用メッセージのデータサイズが、あらかじめ定めたデータサイズ閾値を超えて大きかった場合、前記個人用メッセージのメッセージ件数を前記テキスト音声変換部にて音声情報に変換して前記スピーカより出力することを特徴とする請求項８に記載の入退室制御装置。
【請求項１０】
前記メッセージ件数を前記スピーカより出力した以降において、前記カード認証制御部により認証されたカードと同一のカードが再度前記カードリーダ部にて読み取られる都度、１件ずつ、あるいは、同一のカードが再度前記カードリーダ部にて読み取られてからさらに次に前記カードリーダ部にて読み取られるまで、連続的に、前記認証用データに関連付けられた個人用メッセージを、前記テキスト音声変換部にて音声情報に変換して前記スピーカより出力することを特徴とする請求項９に記載の入退室制御装置。
【請求項１１】
前記個人用メッセージの再生を指示するための再生ボタンをさらに備え、前記メッセージ件数を前記スピーカより出力した以降において、前記入退室者によって前記再生ボタンの操作がなされた際に、１件ずつ、あるいは、前記入退室者によって前記再生ボタンの操作がなされてから前記再生ボタンの再度の操作がなされるまで、連続的に、前記認証用データに関連付けられた個人用メッセージを、前記テキスト音声変換部にて音声情報に変換して前記スピーカより出力することを特徴とする請求項９に記載の入退室制御装置。
【請求項１２】
各部屋への入退室を管理する入退室制御方法において、入退室者が所有するカードを読み取って、あらかじめ登録されている認証用データに基づいて認証を行い、認証が得られた際に、認証された前記認証用データに関連付けられた個人用メッセージがあらかじめ登録されている場合には、該個人用メッセージを音声情報に変換して出力することを特徴とする入退室制御方法。
【請求項１３】
認証された前記認証用データに関連付けられた個人用メッセージのメッセージ件数が、あらかじめ定めた件数閾値を超えて多かった場合、あるいは、前記個人用メッセージのデータサイズが、あらかじめ定めたデータサイズ閾値を超えて大きかった場合、前記個人用メッセージのメッセージ件数を音声情報に変換して出力することを特徴とする請求項１２に記載の入退室制御方法。
【請求項１４】
前記メッセージ件数を前記スピーカより出力した以降において、認証されたカードと同一のカードが再度読み取られる都度、１件ずつ、あるいは、同一のカードが再度読み取られてからさらに次に読み取られるまで、連続的に、前記認証用データに関連付けられた個人用メッセージを、音声情報に変換して前記スピーカより出力することを特徴とする請求項１３に記載の入退室制御方法。
【請求項１５】
前記メッセージ件数を前記スピーカより出力した以降において、前記個人用メッセージの再生を指示するための再生ボタンの操作が前記入退室者によってなされた際に、１件ずつ、あるいは、前記再生ボタンの操作が前記入退室者によってなされてから前記再生ボタンの再度の操作がなされるまで、連続的に、前記認証用データに関連付けられた個人用メッセージを、音声情報に変換して前記スピーカより出力することを特徴とする請求項１３に記載の入退室制御方法。
【発明の詳細な説明】
【技術分野】
【０００１】
本発明は、入退室制御システム、入退室制御装置および入退室制御方法に関する。
【背景技術】
【０００２】
部屋への入退室の管理を行う従来の入退室制御装置は、カード（ＩＣカードなど）の所有者に対してカード認証を行うことによりドアの施錠開錠を制御することを目的としており、さらに、例えば、特許文献１の特開２００２-９７８２４号公報「情報記録装置および音声応答システム」に記載されているように、カード認証者に与えられる情報としては、カード認証がなされた旨を音声情報として送出するような音声応答機能も付与されて、施錠開錠の旨を示すブザーもしくは固定音声を用いて、入退室者に案内を行うようになってきている。
【特許文献１】特開２００２-９７８２４号公報（第４−６頁）
【発明の開示】
【発明が解決しようとする課題】
【０００３】
しかしながら、前記特許文献１に記載のような従来技術には、次のような課題がある。
【０００４】
第１の課題は、音声情報の送出機能を有する機構を採用しているとしても、ドアの施錠開錠の旨を案内するなど、あらかじめ設定されている固定メッセージ（例えば、「ドアを開きました」など）によるもののみであり、カード所有の入退室者に対して任意のメッセージを音声情報として送出することができなかった。
【０００５】
第２の課題は、入退室の際に、カード認証を行うことによって、入退室者を特定することができ、特定した入退室者に対する受信メールなどのメッセージの伝達が可能な機会が存在しているにもかかわらず、部屋への入退室の機会を利用して、カード認証により特定した入退室者向けの個人用メッセージを伝達するという仕組みが構築されていなかった。
【０００６】
そこで、本発明の目的は、かかる課題を解決することにあり、個人向けの受信メールを受け付けたり、個人向けに必要に応じて任意のメッセージを作成したり編集したりして、入退室管理用として利用されるカードの認証用データと関連付けされた個人用メッセージとして設定して管理する管理用ＰＣ（Ｐｅｒｓｏｎａｌ  Ｃｏｍｐｕｔｅｒ）を接続することにより、通常のカード認証によるドアの施錠開錠制御に加えて、カード認証が得られた入退室者に対する個人用メッセージを前記管理用ＰＣから受け取っていた場合は、当該入退室者向けの個人用メッセージを、あるいは、当該入退室者向けの個人用メッセージの件数を音声情報に変換して出力することを可能にした入退室制御システム、入退室制御装置および入退室制御方法を提供することにある。
【課題を解決するための手段】
【０００７】
前述の課題を解決するため、本発明による入退室制御システム、入退室制御装置および入退室制御方法は、次のような特徴的な構成を採用している。
【０００８】
（１）各部屋に対応して設置されて、各部屋への入退室を管理する入退室制御装置と、入退室者向けのテキスト形式のメッセージを個人用メッセージとして作成・編集して管理する管理用ＰＣ（Ｐｅｒｓｏｎａｌ  Ｃｏｍｐｕｔｅｒ）とを、ネットワークを介して接続して構成される入退室制御システムにおいて、前記入退室制御装置は、入退室者が所有するカードを読み取るカードリーダ部と、該カードリーダ部により読み取ったカードの記録内容をあらかじめ登録されている認証用データに基づいて認証を行うカード認証制御部と、前記管理用ＰＣに設定されたテキスト形式の前記個人用メッセージを前記ネットワークを介して受信し、前記認証用データと関連付けして登録する個人用メッセージ記憶部と、テキスト形式の前記個人用メッセージを音声情報に変換するテキスト音声変換部と、変換された音声情報を出力するスピーカとを少なくとも備え、入退室した入退室者のカードが前記カード認証制御部により認証が得られた際に、前記個人用メッセージ記憶部を検索して、認証された前記認証用データに関連付けられた個人用メッセージが登録されている場合には、該個人用メッセージを前記テキスト音声変換部にて音声情報に変換して前記スピーカより出力する入退室制御システム。
（２）前記カード認証制御部により認証された前記認証用データに関連付けられた個人用メッセージのメッセージ件数が、あらかじめ定めた件数閾値を超えて多かった場合、あるいは、前記個人用メッセージのデータサイズが、あらかじめ定めたデータサイズ閾値を超えて大きかった場合、前記個人用メッセージのメッセージ件数を前記テキスト音声変換部にて音声情報に変換して前記スピーカより出力する上記（１）の入退室制御システム。
（３）前記メッセージ件数を前記スピーカより出力した以降において、前記カード認証制御部により認証されたカードと同一のカードが再度前記カードリーダ部にて読み取られる都度、１件ずつ、あるいは、同一のカードが再度前記カードリーダ部にて読み取られてからさらに次に前記カードリーダ部にて読み取られるまで、連続的に、前記認証用データに関連付けられた個人用メッセージを、前記テキスト音声変換部にて音声情報に変換して前記スピーカより出力する上記（２）の入退室制御システム。
（４）前記入退室制御装置に、前記個人用メッセージの再生を指示するための再生ボタンをさらに備え、前記メッセージ件数を前記スピーカより出力した以降において、前記入退室者によって前記再生ボタンの操作がなされた際に、１件ずつ、あるいは、前記入退室者によって前記再生ボタンの操作がなされてから前記再生ボタンの再度の操作がなされるまで、連続的に、前記認証用データに関連付けられた個人用メッセージを、前記テキスト音声変換部にて音声情報に変換して前記スピーカより出力する上記（２）の入退室制御システム。
（５）前記個人用メッセージを、前記入退室制御装置の前記個人用メッセージ記憶部にあらかじめ登録する代わりに、前記管理用ＰＣに、前記認証用データに関連付けしてあらかじめ登録しておき、入退室した入退室者のカードが前記入退室制御装置の前記カード認証制御部により認証が得られた際に、前記入退室制御装置から、前記ネットワークを介して、前記管理用ＰＣに対して認証が得られた前記認証用データに関連付けられた個人用メッセージが、登録されているか否かを問い合わせ、登録されていた場合、当該認証用データに関連付けられた個人用メッセージを前記管理用ＰＣから前記入退室制御装置へ転送させて、前記テキスト音声変換部にて音声情報に変換して前記スピーカより出力する上記（１）ないし（４）のいずれかの入退室制御システム。
（６）前記入退室制御装置の前記個人用メッセージ記憶部に、前記管理用ＰＣに前記認証用データに関連付けられた個人用メッセージが登録されていることを示す情報を、前記認証用データに関連付けてあらかじめ登録しておき、入退室した入退室者のカードが前記入退室制御装置の前記カード認証制御部により認証が得られた際に、前記個人用メッセージ記憶部を参照して、前記管理用ＰＣに、認証が得られた前記認証用データに関連付けられた個人用メッセージが登録されているか否かを確認し、登録されていることが確認された場合、前記管理用ＰＣに対して、認証が得られた前記認証用データに関連付けられた個人用メッセージの転送要求を送信する上記（５）の入退室制御システム。
（７）前記管理用ＰＣは、当該管理用ＰＣに備えられた入力装置からテキスト形式で入力された任意のメッセージ、あるいは、外部の情報通信装置から受信したテキスト形式の受信メール、のいずれかに基づいて、入退室者向けの前記個人用メッセージとして編集して設定登録する上記（１）ないし（６）のいずれかの入退室制御システム。
（８）各部屋に対応して設置されて、各部屋への入退室を管理する入退室制御装置において、入退室者が所有するカードを読み取るカードリーダ部と、該カードリーダ部により読み取ったカードの記録内容をあらかじめ登録されている認証用データに基づいて認証を行うカード認証制御部と、入退室者向けのテキスト形式のメッセージを個人用メッセージとして作成・編集して管理する管理用ＰＣから、前記個人用メッセージを受信して、前記認証用データと関連付けして登録する個人用メッセージ記憶部と、テキスト形式の前記個人用メッセージを音声情報に変換するテキスト音声変換部と、変換された音声情報を出力するスピーカとを少なくとも備え、入退室した入退室者のカードが前記カード認証制御部により認証が得られた際に、前記個人用メッセージ記憶部を検索して、認証された前記認証用データに関連付けられた個人用メッセージが登録されている場合には、該個人用メッセージを前記テキスト音声変換部にて音声情報に変換して前記スピーカより出力する入退室制御装置。
（９）前記カード認証制御部により認証された前記認証用データに関連付けられた個人用メッセージのメッセージ件数が、あらかじめ定めた件数閾値を超えて多かった場合、あるいは、前記個人用メッセージのデータサイズが、あらかじめ定めたデータサイズ閾値を超えて大きかった場合、前記個人用メッセージのメッセージ件数を前記テキスト音声変換部にて音声情報に変換して前記スピーカより出力する上記（８）の入退室制御装置。
（１０）前記メッセージ件数を前記スピーカより出力した以降において、前記カード認証制御部により認証されたカードと同一のカードが再度前記カードリーダ部にて読み取られる都度、１件ずつ、あるいは、同一のカードが再度前記カードリーダ部にて読み取られてからさらに次に前記カードリーダ部にて読み取られるまで、連続的に、前記認証用データに関連付けられた個人用メッセージを、前記テキスト音声変換部にて音声情報に変換して前記スピーカより出力する上記（９）の入退室制御装置。
（１１）前記個人用メッセージの再生を指示するための再生ボタンをさらに備え、前記メッセージ件数を前記スピーカより出力した以降において、前記入退室者によって前記再生ボタンの操作がなされた際に、１件ずつ、あるいは、前記入退室者によって前記再生ボタンの操作がなされてから前記再生ボタンの再度の操作がなされるまで、連続的に、前記認証用データに関連付けられた個人用メッセージを、前記テキスト音声変換部にて音声情報に変換して前記スピーカより出力する上記（９）の入退室制御装置。
（１２）各部屋への入退室を管理する入退室制御方法において、入退室者が所有するカードを読み取って、あらかじめ登録されている認証用データに基づいて認証を行い、認証が得られた際に、認証された前記認証用データに関連付けられた個人用メッセージがあらかじめ登録されている場合には、該個人用メッセージを音声情報に変換して出力する入退室制御方法。
（１３）認証された前記認証用データに関連付けられた個人用メッセージのメッセージ件数が、あらかじめ定めた件数閾値を超えて多かった場合、あるいは、前記個人用メッセージのデータサイズが、あらかじめ定めたデータサイズ閾値を超えて大きかった場合、前記個人用メッセージのメッセージ件数を音声情報に変換して出力する上記（１２）の入退室制御方法。
（１４）前記メッセージ件数を前記スピーカより出力した以降において、認証されたカードと同一のカードが再度読み取られる都度、１件ずつ、あるいは、同一のカードが再度読み取られてからさらに次に読み取られるまで、連続的に、前記認証用データに関連付けられた個人用メッセージを、音声情報に変換して前記スピーカより出力する上記（１３）の入退室制御方法。
（１５）前記メッセージ件数を前記スピーカより出力した以降において、前記個人用メッセージの再生を指示するための再生ボタンの操作が前記入退室者によってなされた際に、１件ずつ、あるいは、前記再生ボタンの操作が前記入退室者によってなされてから前記再生ボタンの再度の操作がなされるまで、連続的に、前記認証用データに関連付けられた個人用メッセージを、音声情報に変換して前記スピーカより出力する上記（１３）の入退室制御方法。
【発明の効果】
【０００９】
本発明の入退室制御システム、入退室制御装置および入退室制御方法によれば、以下のような効果を奏することができる。
【００１０】
第１の効果は、個人向けの受信メールを受け付けたり、任意のメッセージを作成したりして、入退室者の認証用データと関連付けした形式で、個人用メッセージとして設定して管理する管理用ＰＣ（Ｐｅｒｓｏｎａｌ  Ｃｏｍｐｕｔｅｒ）から、入退室者向けの個人用メッセージを適宜受信して、入退室者の認証用データと関連付けした形式で、受信した個人用メッセージを入退室制御装置内にあらかじめ登録しておくことにより、部屋への入退室者が、カード認証を行った際に、カード認証結果として特定された入退室者向けの個人用メッセージが登録されている場合は、個人用メッセージのメッセージ件数があらかじめ定めた件数閾値以内であれば、および／または、個人用メッセージのデータサイズがあらかじめ定めたデータサイズ閾値以内であれば、当該入退室者向けの個人用メッセージを音声情報に変換して、当該入退室者に伝達することができる。
【００１１】
第２の効果は、退室者向けの個人用メッセージの件数があらかじめ定めた件数閾値を超えていた場合、あるいは、個人用メッセージのデータサイズがあらかじめ定めたデータサイズ閾値を超えていた場合、当該入退室者向けの個人用メッセージとして登録されているメッセージ件数を、音声情報として、当該入退室者に通知することができる。
【００１２】
第３の効果は、任意のメッセージを作成して管理することが可能な管理用ＰＣとネットワークを介して接続する通信制御機能と、テキスト形式の任意のメッセージを音声情報に変換するテキスト音声変換機能と、を有しているので、入退室時のカード認証結果として特定された入退室者に対して、状況に応じた様々なメッセージを音声情報として伝達することができる。
【００１３】
第４の効果は、必要とする部屋ごとに対応して入退室制御装置が複数用意されていることにより、カード所有の入退室者が、入退室制御装置が備えられているどの部屋に入退室しようとした場合であっても、当該入退室者向けに登録されている個人用メッセージを、または、当該入退室者向けの個人用メッセージの件数を確実に伝達することができる。
【００１４】
第５の効果は、入退室の際の最初のカード認証時において、入退室者向けの個人用メッセージの件数が、音声情報として、カード認証された当該入退室者に対して出力された場合、その後、カード認証された当該入退室者により、同一カードの再読み取り操作がなされることにより、あるいは、再生ボタンの操作がなされることにより、当該入退室者に伝達したい個人用メッセージを、適宜、音声情報として再生して伝達することができる。
【発明を実施するための最良の形態】
【００１５】
以下、本発明による入退室制御システム、入退室制御装置および入退室制御方法の好適実施形態例について添付図を参照して説明する。
【００１６】
（本発明の主要な特徴点）
まず、本発明の実施例の説明に先立って、本発明の主要な特徴点について説明する。本発明の主要な特徴点は、テキスト音声変換機能を有した入退室制御装置として、部屋への入退室の際に、入退室者が所有のカード（ＩＣカードなど）にて個人認証を行い、カード認証結果として特定された当該入退室者に対して、伝達すべき個人用メッセージが登録されていた場合には、登録されている個人用メッセージを、あるいは、登録されている個人用メッセージのメッセージ件数を、音声情報として、送出することを可能にしている点にある。
【００１７】
すなわち、部屋への入退室者が所有のカードの認証結果として、正当な入退室者であり、特定個人として識別された場合には、当該特定個人向けの個人用メッセージが登録されているか否かをチェックして、登録されていた場合は、該個人用メッセージを音声情報に変換して当該入退室者に伝達することを可能としている。さらに、当該入退室者向けの個人用メッセージの件数があらかじめ定めた件数閾値を超えて多い場合、あるいは、当該入退室者向けの個人用メッセージのデータサイズがあらかじめ定めたデータサイズ閾値を超えて大きい場合は、当該入退室者向けの個人用メッセージのメッセージ件数のみを音声情報として通報して、当該入退室者からの再生要求に応じて、個人用メッセージそのものを、適宜、音声情報として再生して出力することを可能としている。
【００１８】
ここで、特定個人向けの個人用メッセージは、個人用メッセージとして設定して管理する管理用ＰＣ（Ｐｅｒｓｏｎａｌ  Ｃｏｍｐｕｔｅｒ）において、個人向けの受信メールを受け付けたり、個人向けに必要に応じて任意のメッセージを作成したり編集したりすることにより、自由自在のメッセージ内容を、テキスト形式として形成することができ、入退室管理用に利用されるカードの認証用データと関連付けして、個人用メッセージとして設定して登録されている。管理用ＰＣに個人用メッセージが設定登録されると、ＬＡＮなどのネットワークを介して、各部屋ごとに備えられている入退室制御装置それぞれに、カードの認証用データと関連付けして、設定登録される。この結果、カード所有の入退室者が、入退室制御装置が設置されているいずれかの部屋に入退室した際に、当該入退室者向けの個人用メッセージを確実に受け取ることができる。
【００１９】
さらには、当該入退室者向けの個人用メッセージの件数が多い場合あるいは当該入退室者向けの個人用メッセージのデータサイズが大きい場合には、前述のように、入退室の際に最初に出力される情報は、カード認証された入退室者向けのメッセージ件数のみであり、しかる後、再度、当該入退室者により同一カードの読み取り操作が実施された場合には、同一カードの読み取り操作がなされる都度、カード認証された当該入退室者向けの個人用メッセージを、１件ずつ、あるいは、複数件を連続させて、音声情報として出力することが可能である。あるいは、各入退室制御装置に再生ボタンを備えて、同一カードの読み取り操作を繰り返す代わりに、カード認証された入退室者が再生ボタンを操作することによって、当該入退室者向けの個人用メッセージを再生するようにしても良い。
【００２０】
（実施例の構成）
次に、本発明の入退室制御システムの構成例を説明する。図１は、本発明の入退室制御システムのブロック構成の一例を示すブロック構成図である。
【００２１】
図1に示す入退室制御システム１００は、設置が必要な部屋ごとに対応して複数の入退室制御装置１０、２０、３０、…が配置されており、各入退室制御装置１０、２０、３０、…は、各入退室者向けの個人用メッセージを設定して管理している管理用ＰＣ５０に、ＬＡＮ６０などのネットワークを介して接続されている。
【００２２】
ここで、管理用ＰＣ５０は、前述したように、個人向けの受信メールを受け付けたり、個人向けに必要に応じて任意のメッセージを作成したり編集したりすることにより、自由自在のメッセージ内容を、テキスト形式によって形成することができ、入退室管理用として利用されるカードの認証用データと関連付けた形態で、個人用メッセージとして設定して登録している。さらに、管理用ＰＣ５０に、当該入退室制御システム１００の認証用データと関連付けされた個人用メッセージが設定登録された際に、ただちに、ＬＡＮ６０を介して、入退室制御装置１０、２０、３０、…に対して、当該個人用メッセージを認証用データと関連付けて送信することによって、入退室制御装置１０、２０、３０、…においても、同様の個人用メッセージを設定登録することになる。
【００２３】
各入退室制御装置１０、２０、３０、…は、同一のブロック構成からなっており、例えば、入退室制御装置１０は、カードリーダ部１１、カード認証制御部１２、認証用データ記憶部１３、メッセージ制御部１４、通信制御部１５、個人用メッセージ記憶部１６、テキスト音声変換部１７、スピーカ１８、を少なくとも含んで構成されている。
【００２４】
カードリーダ部１１は、入退室する各人が所有するカード（ＩＣカードなど）に記載された個人情報を読み取る。カード認証制御部１２は、カードリーダ部１１により読み取ったカードの個人情報に基づいて、認証用データ記憶部１３にあらかじめ登録されている認証用データを参照して、カード所有者（入退室者）の正当性を認証する。認証用データ記憶部１３は、カード認証制御部１２にてカード認証時に参照される入退室者各人の認証用データを格納している。
【００２５】
メッセージ制御部１４は、カード認証時に、認証結果として特定されたカード所有者（入退室者）に対して伝達すべき個人用メッセージが個人用メッセージ記憶部１６に登録されているか否かを判定して、個人用メッセージが登録されていた場合、当該個人用メッセージの伝達を制御したり、あるいは、あらかじめ定めた件数閾値を超えて多いメッセージ件数であった場合やあらかじめ定めたデータサイズ閾値を超えて大きいデータサイズの個人用メッセージであった場合は、メッセージ件数のみの伝達に切り替えたりする制御を行っている。
【００２６】
通信制御部１５は、管理用ＰＣ５０から入退室者向けの個人用メッセージをＬＡＮ６０を介して受信する制御を行う。個人用メッセージ記憶部１６は、管理用ＰＣ５０から受信した入退室者向けの個人用メッセージを、各人の認証用データと関連付けをした状態で、テキスト形式で設定登録する。なお、個人用メッセージ記憶部１６の記憶容量の制限から格納することができない個人用メッセージ（例えば、メッセージ件数が多い場合やデータサイズが大きい場合など）は、管理用ＰＣ５０側に保存することとし、個人用メッセージ記憶部１６には、管理用ＰＣ５０側に保存されている個人用メッセージを読み出すために必要な情報（管理用ＰＣ５０に登録されていることを示す情報やその個人用メッセージ件数など）のみが設定登録されている場合もある。
【００２７】
テキスト音声変換部１７は、認証が得られた入退室者に対して伝達しようとしているテキスト形式の個人用メッセージまたはメッセージ件数を音声情報に変換する。スピーカ１８は、テキスト音声変換部１７にて変換された音声情報を、認証が得られた入退室者向けに出力する。
【００２８】
ここで、カード認証制御部１２は、カードリーダ部１１、認証用データ記憶部１３、メッセージ制御部１４と、それぞれ、カード信号線、認証用データバス、認証結果信号線によって接続されており、入退室者が所有するカードを認証する処理を行っている。メッセージ制御部１４は、通信制御部１５、個人用メッセージ記憶部１６、テキスト音声変換部１７と、それぞれ、通信信号バス、個人用メッセージデータバス、メッセージデータバスによって接続されており、カード認証制御部１２の認証結果から、正当な入退室者として特定された個人に対する個人用メッセージの送出処理を行っている。
【００２９】
テキスト音声変換部１７は、スピーカ１８と音声信号線で接続されており、テキスト形式のメッセージを音声情報に変換する処理を行っている。通信制御部１５は、個人用メッセージを設定管理している管理用ＰＣ５０とＬＡＮ６０によって接続されており、管理用ＰＣ５０からの個人用メッセージデータの受信処理を行っている。なお、管理用ＰＣ５０においては、前述のように、カード所有の入退室者向けの個人用メッセージを、キーボードなどの入力装置から任意に入力して設定することもできるし、電子メールとして他の情報通信装置から受信することにより設定することもでき、個人用メッセージとして設定される都度、管理用ＰＣ５０から入退室制御装置１０、２０、３０、…へＬＡＮ６０を介して送信するように構成されている。
【００３０】
（実施例の動作の説明）
次に、本発明の一実施例として示した図１の入退室制御システム１００の動作について詳細に説明する。
【００３１】
各入退室者向けの個人用メッセージが、入退室者各人の個人用メッセージを管理している管理用ＰＣ５０に設定登録された場合、管理用ＰＣ５０からＬＡＮ６０を経由して通信制御部１５に対して送信されてくる。通信制御部１５は、受信した個人用メッセージを通信信号バスを介して通信信号としてメッセージ制御部１４に入力する。メッセージ制御部１４は、入力された個人用メッセージを伝達すべき入退室者を特定する認証用データと関連付けした状態でテキスト形式として個人用メッセージバスを介して個人用メッセージ記憶部１６に設定登録しておく。
【００３２】
部屋へ入退室しようとするカード所有の入退室者が、カードを入退室制御装置１０のカードリーダ部１１に読み取らせる操作を行うと、カードリーダ部１１にて読み取った当該カードの個人情報（認証用データ）が、カード信号線を介してカード認証制御部１２に入力される。カード認証制御部１２は、認証用データバスを介して認証用データ記憶部１３に記憶されている各人の認証用データを読み出して、カードリーダ部１１から入力された個人情報との比較照合を行う。
【００３３】
カードリーダ部１１で読み取られたカードの個人情報と一致する認証用データが認証用データ記憶部１３に記憶されていた場合は、当該カードを所有する入退室者の正当性が認証され、ドアの施錠開錠制御を行うとともに、認証結果として特定された入退室者に関する認証用データをカード認証制御部１２からメッセージ制御部１４に対して認証結果信号線を介して送出する。
【００３４】
メッセージ制御部１４は、認証結果信号線を介してカード認証制御部１２から受け取った認証用データを基にして、個人用メッセージ記憶部１６を検索し、当該入退室者に対する個人用メッセージの登録の有無を判別して、個人用メッセージが登録されていた場合は、個人用メッセージ記憶部１６から個人用メッセージデータバスを介して、認証結果によって特定された入退室者に対する個人用メッセージを取り出し、テキスト音声変換部１７に対してメッセージデータバスを介して送出する。あるいは、個人用メッセージ記憶部１６に設定登録されている当該入退室者向けの個人用メッセージの件数があらかじめ定めた件数閾値を超えて多い場合や個人用メッセージのデータサイズがあらかじめ定めたデータサイズ閾値を超えて大きい場合は、メッセージ制御部１４は、当該入退室者に対する個人用メッセージの件数を、テキスト音声変換部１７に対してメッセージデータバスを介して送出する。
【００３５】
テキスト音声変換部１７は、受け取ったテキスト形式の個人用メッセージあるいはメッセージ件数を音声情報に変換してスピーカ１８に送出する。この結果、スピーカ１８から、認証結果によって特定された入退室者向けに、伝達すべき個人用メッセージあるいはメッセージ件数を音声情報として出力する。
【００３６】
（本発明の他の実施例）
本発明の他の実施例を次に説明する。本実施例は、その基本的構成は前述した図１の通りであるが、個人用メッセージの登録場所を、入退室制御装置１０の個人用メッセージ記憶部１６側ではなく、管理用ＰＣ５０側に変更して設定登録している場合の個人用メッセージの出力動作について、その一例を示している。
【００３７】
例えば、入退室者に関する個人用メッセージを個人用メッセージ記憶部１６に記憶しようとする際に、管理用ＰＣ５０からの個人用メッセージが膨大な件数であったり、膨大なデータサイズであったりした場合、個人用メッセージ記憶部１６の記憶容量の制限のため、個人用メッセージのすべてを記憶することができない場合も存在する。かかる場合が発生したとき、管理用ＰＣ５０側に個人用メッセージを保存しておき、個人用メッセージ記憶部１６には、入退室者向けの個人用メッセージが管理用ＰＣ５０側に設定登録されている旨を示す情報のみを認証用データと関連付けした形式で記憶するようにする。
【００３８】
ここで、管理用ＰＣ５０からの個人用メッセージの件数が膨大か否かの判定基準として、メッセージ件数のみを出力するか否かの判定用として前述した件数閾値を適用するようにしても良いし、新たな第２件数閾値を適用することも可能である。また、管理用ＰＣ５０からの個人用メッセージのデータサイズが膨大か否かの判定基準についても、メッセージ件数のみを出力するか否かの判定用として前述したデータサイズ閾値を適用するようにしても良いし、新たな第２データサイズ閾値を適用することも可能である。
【００３９】
かくのごとく管理用ＰＣ５０側に個人用メッセージを設定登録している場合において、実際に、部屋へ入退室した入退室者のカード認証がなされた際に、入退室制御装置１０のメッセージ制御部１４は、個人用メッセージ記憶部１６の参照結果に基づいて、入退室制御装置１０から管理用ＰＣ５０に対してＬＡＮ６０経由で個人用メッセージの転送を要求する。入退室制御装置１０から個人用メッセージの転送要求を受け取った管理用ＰＣは、当該転送要求に含まれている認証用データに基づいて、転送すべき入退室者の個人用メッセージを検索して、検索した個人用メッセージを入退室制御装置１０へＬＡＮ６０を介して転送する。なお、場合によっては、個人用メッセージ記憶部１６を参照しないで、ただちに、管理用ＰＣ５０に対して、認証が得られた入退室者向けの個人用メッセージが登録されているか否かを問い合わせるようにしても良い。
【００４０】
入退室制御装置１０においては、管理用ＰＣ５０から転送されてきた個人用メッセージを、個人用メッセージ記憶部１６に格納することなく、テキスト音声変換部１７に直接送出して、音声情報に変換し、スピーカ１８を介して、カード認証がなされた入退室者向けにただちに出力する。
【００４１】
本実施例のように、管理用ＰＣ５０側のみに個人用メッセージを設定登録することにより、個人用メッセージ記憶部１６の記憶容量を節約することができるという効果を得ることができる。さらに、カード所有の入退室者が入退室する可能性がある複数の部屋ごとに入退室制御装置１０、２０、３０、…を複数設置するような場合、各入退室制御装置１０、２０、３０、…それぞれの個人用メッセージ記憶部１６に同一の個人用メッセージを重複して格納するような事態を回避するためにも有効である。
【００４２】
次に、異なる実施例として、メッセージ件数のみの出力を行った場合について、さらに説明する。前述のように、入退室者向けの個人用メッセージ件数があらかじめ定めた件数閾値を超えて多かった場合や個人用メッセージのデータサイズがあらかじめ定めたデータサイズ閾値を超えて大きい場合は、個人用メッセージそのものではなく、最初にカード認証された時点では、当該入退室者向けに登録されている個人用メッセージのメッセージ件数を音声情報として伝達するようにしている。ここで、メッセージ件数を伝達する場合、当該入退室者向けの個人用メッセージが、管理用ＰＣ５０側のみに設定登録されている場合であっても良いし、あるいは、入退室制御装置１０の個人用メッセージ記憶部１６に設定登録されている場合であっても良い。
【００４３】
メッセージ件数の通報を受け取った入退室者がその場で直ちに当該入退室者向けの個人用メッセージを再生して聴取したい場合、メッセージ件数の音声情報を聴取した当該入退室者は最初の認証時のカードと同一のカードを再度カードリーダ部１１にて読み取らせるように操作する。カード認証が既になされた入退室者により同一カードの再度の読み取り操作がなされた場合、メッセージ制御部１４は、当該入退室者向けの個人用メッセージ再生要求と判断して、個人用メッセージ記憶部１６から、あるいは、管理用ＰＣ５０側から、当該入退室者向けの個人用メッセージを受け取って、テキスト音声変換部１７にて音声情報に変換して、当該入退室者向けに出力する。
【００４４】
かかる個人用メッセージの再生動作は、入退室者により同一カードを再度読み取り操作がなされる都度、当該入退室者向けの個人用メッセージを１件ずつ音声情報に変換して伝達するようにしても良い。あるいは、メッセージ件数の音声情報を聴取した入退室者により同一カードを再度カードリーダ部１１にて読み取らせるように操作された場合に、１件のみではなく、最も古いメッセージからあるいは最新のメッセージから、次に、さらに、同一カードの再度の読み取り操作がなされるまで、順次、連続的に、再生を行うようにしても良い。
【００４５】
あるいは、メッセージ件数の通報を受け取ったカード所有の入退室者がその場で直ちにメッセージを再生して聴取したいという場合に備えて、同一カードの再度の読み取り操作を行う代わりに、各入退室制御装置１０、２０、３０、…には、認証が既になされた入退室者向けの個人用メッセージを音声情報として再生する再生ボタン１９を備えるようにしても良い。該再生ボタン１９の操作により１件ずつ再生するようにしても良いし、あるいは、再度の再生ボタン１９の操作がなされるまで、連続的に、複数の個人用メッセージを再生するようにしても良い。
【００４６】
さらに、該再生ボタン１９として、最も古いメッセージまたは最新のメッセージからのいずれかを選択して選択した順番に再生するようにしても良い。あるいは、同一カードの再読み取りや再生ボタン１９の機能をさらに拡充して、最初は、メッセージの送信元やメッセージ件名のみを集めて再生することとし、その再生された音声情報を聴取した結果から、優先して再生を望むメッセージ番号を選択させて、指定された個人用メッセージを選択して再生することを可能とするようにしても良い。
【００４７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００４８】
【図１】本発明の入退室制御システムのブロック構成の一例を示すブロック構成図である。
【符号の説明】
【００４９】
１０、２０、３０、…      入退室制御装置
１１                      カードリーダ部
１２                      カード認証制御部
１３                      認証用データ記憶部
１４                      メッセージ制御部
１５                      通信制御部
１６                      個人用メッセージ記憶部
１７                      テキスト音声変換部
１８                      スピーカ
１９                      再生ボタン
５０                      管理用ＰＣ
６０                      ＬＡＮ
１００                    入退室制御システム
【図１】
2008146451.tif 000003